(57)【要約】【課題】ユーザの伝送レートを向上させることができ、伝送すべきデータ系列中のシンボル同期パターン等を用いる必要がなく、正規のシンボル周期に同期した受信クロックを生成して受信データを再生することができるＰＰＭ同期回路およびＰＰＭ復調装置を提供する。【解決手段】パルス位置変調されたＰＰＭ変調信号の振幅レベルを比較して２値データに変換するレベル比較器２０１と、２値データからパルススロット周期の再生クロックを生成するクロック再生部２０２と、再生クロックを基準に２値データを並列データに変換するシフトレジスタ２０３と、並列データをもとに受信クロックを生成する同期制御部２０４とを備え、並列データからパルススロット周期毎にデータの有効性を判定し、その判定結果をもとに再生クロックから正規のシンボル周期に同期した受信クロックを生成するように構成する。【選択図】図１
2006148333.tif 000002
【特許請求の範囲】
【請求項１】
ｎビットに対応してｍ（ｍ≧２ｎ）個のパルススロットの１つに１つのパルスを割り当てることによってパルス位置変調されたＰＰＭ変調信号を受信してシンボル周期の同期を確立するＰＰＭ同期回路において、
前記パルス位置変調されたＰＰＭ変調信号の振幅レベルを比較して２値データに変換するレベル比較手段と、
前記２値データからパルススロット周期の再生クロックを生成するクロック再生手段と、
前記再生クロックを基準に前記２値データを並列データに変換するレジスタ手段と、
前記並列データからパルススロット周期毎にデータの有効性を判定し、その判定結果をもとに前記再生クロックから正規のシンボル周期に同期した受信クロックを生成する同期制御手段と、
を備えたＰＰＭ同期回路。
【請求項２】
送信すべきパルス信号が搬送波信号によってパルス位置変調された前記ＰＰＭ変調信号を入力して該ＰＰＭ変調信号の包絡線を検出する検波手段を備えた請求項１に記載のＰＰＭ同期回路。
【請求項３】
前記同期制御手段は、前記受信クロックを生成するために用いられたカウント値の状態を監視して、シンボル周期の同期状態を判定する同期状態判定手段を備えた請求項１に記載のＰＰＭ同期回路。
【請求項４】
請求項１乃至請求項３のいずれかに記載のＰＰＭ同期回路のレジスタ手段で得られた並列データを符号化データに変換する符号化手段と、前記符号化データを前記受信クロックでサンプリングして受信データを再生する受信データ再生手段と、を備えたＰＰＭ復調装置。
【請求項５】
並列データの有効性をパルススロット周期毎に判定する工程と、その判定結果をもとに再生クロックから受信クロックを得る工程と、を備えたＰＰＭ同期方法。
【発明の詳細な説明】
【技術分野】
【０００１】
本発明は、無線通信や光通信分野などで用いられるパルス位置変調方式（ＰＰＭ変調方式）の受信装置等で用いられるＰＰＭ同期回路およびＰＰＭ復調装置に関する。
【背景技術】
【０００２】
ＰＰＭ変調方式は、パルスの位置によって情報を伝送する方式であり、伝送すべき情報のビット数（ｎ）に応じて、ｍ（ｍ≧２ｎ）個のパルススロット位置に１つのパルスを割り当ててｎビットの情報を伝送する場合には、ｍ値ＰＰＭ変調方式という。例えば、４値ＰＰＭ変調方式では、４個のパルススロットのいずれか１つの位置に２ビットの情報(００，０１，１０，１１)に応じた１つのパルスを割り当てて伝送する。このとき、４個のパルススロットで構成された２ビットの情報を示す単位をシンボルという。従来、この種のＰＰＭ復調装置としては、例えば、特許文献１に記載されているようなものがあった。図１３は、特許文献１に記載された従来のＰＰＭ復調装置１００を示している。図１３において、クロック再生手段１０１は、パルス位置変調されたＰＰＭ信号から再生クロック信号を生成し、サンプル結果保持手段１０２は、ＰＰＭ信号を再生クロック信号でサンプルしその結果を保持する。シンボル同期信号発生手段１０３は、ＰＰＭ信号に埋め込まれているシンボル同期パターンを検出してシンボル同期を獲得してシンボル同期信号を発生し、復調手段１０４によりシンボル同期信号に同期した受信データを再生する。
【０００３】
このＰＰＭ復調装置によれば、伝送すべきデータ系列にあらかじめ埋め込まれているシンボル同期パターンを検出することにより、シンボル同期を確立しシンボル周期に同期した受信データを再生することができる。
【０００４】
【特許文献１】特開平９−９８１９３号公報（第２−３頁、図１、図１９）
【発明の開示】
【発明が解決しようとする課題】
【０００５】
しかしながら、特許文献１に記載された従来のＰＰＭ復調装置は、伝送すべきデータ系列にあらかじめ埋め込まれたシンボル同期パターンを検出してシンボル同期を獲得しているため、本来伝送すべきユーザのデータレートが低下してしまう。また、シンボル同期パターンだけでシンボル周期を獲得しているために、伝搬路の回線状態によりシンボル同期パターンが、本来待ち受けすべき正規のパターンでなかった場合にシンボル同期を獲得するまでに時間を要する等の問題があった。
【０００６】
本発明は、このような従来の問題を解決するためになされたものであり、ユーザの伝送レートを向上させることができ、伝送すべきデータ系列中のシンボル同期パターン等を用いる必要がなく、ユーザのデータ系列だけでシンボル同期を自動的に獲得して高速に同期確立し、正規のシンボル周期に同期した受信クロックを生成して受信データを再生することができるＰＰＭ同期回路およびＰＰＭ復調装置を提供することを目的とする。
【課題を解決するための手段】
【０００７】
（１）  ｎビットに対応してｍ（ｍ≧２ｎ）個のパルススロットの１つに１つのパルスを割り当てることによってパルス位置変調されたＰＰＭ変調信号を受信してシンボル周期の同期を確立するＰＰＭ同期回路において、前記パルス位置変調されたＰＰＭ変調信号の振幅レベルを比較して２値データに変換するレベル比較手段と、前記２値データからパルススロット周期の再生クロックを生成するクロック再生手段と、前記再生クロックを基準に前記２値データを並列データに変換するレジスタ手段と、前記並列データからパルススロット周期毎にデータの有効性を判定し、その判定結果をもとに前記再生クロックから正規のシンボル周期に同期した受信クロックを生成する同期制御手段と、を備えている。
【０００８】
この構成により、並列データからパルススロット周期毎にデータの有効性を判定し、その判定結果をもとに、復調すべき受信データの正規のシンボル周期に同期した受信クロックが生成できるため、シンボル同期パターン等を用いることなく、伝送すべきユーザのデータ系列だけでシンボル同期を自動的に獲得して同期確立することができる。
【０００９】
（２）  上記（１）に記載のＰＰＭ同期回路において、送信すべきパルス信号が搬送波信号によってパルス位置変調された前記ＰＰＭ変調信号を入力して該ＰＰＭ変調信号の包絡線を検出する検波手段を備えている。
【００１０】
この構成により、複雑な回路を用いることなく簡易な構成だけで、搬送波信号によってパルス位置変調されたＰＰＭ変調信号の復調にも対応することができる。
【００１１】
（３）  上記（１）に記載のＰＰＭ同期回路において、前記同期制御手段は、前記受信クロックを生成するために用いられたカウント値の状態を監視して、シンボル周期の同期状態を判定する同期状態判定手段を備えている。
【００１２】
この構成により、シンボル周期の同期状態をリアルタイムに把握することにより、受信信号のシンボル同期状態を監視することができる。また、同期はずれ状態を検出して、シンボル同期の再同期確立処理（更新）を行うことによって、信頼性の高いシンボル同期を確立することができ、受信データの品質を向上させることができる。
【００１３】
（４）  ＰＰＭ復調装置において、上記（１）乃至（３）のいずれかに記載のＰＰＭ同期回路のレジスタ手段で得られた並列データを符号化データに変換する符号化手段と、前記符号化データを前記受信クロックでサンプリングして受信データを再生する受信データ再生手段と、を備えている。
【００１４】
この構成により、ＰＰＭ変調信号の正規の受信データを簡易な構成で簡単に復調することができる。
【００１５】
（５）  ＰＰＭ同期方法において、並列データの有効性をパルススロット周期毎に判定する工程と、その判定結果をもとに再生クロックから受信クロックを得る工程と、を備えている。
【００１６】
この方法により、シンボル同期パターン等を用いることなく、伝送すべきユーザのデータ系列だけでシンボル同期を自動的に獲得して同期確立することができる。
【発明の効果】
【００１７】
本発明によれば、並列データからパルススロット周期毎にデータの有効性を判定し、その判定結果をもとに、復調すべき受信データの正規のシンボル周期に同期した受信クロックが生成できるため、シンボル同期パターン等を用いることなく、伝送すべきユーザのデータ系列だけでシンボル同期を自動的に獲得して同期確立することができる。
【発明を実施するための最良の形態】
【００１８】
以下、本発明の実施の形態について図面を用いて説明する。
【００１９】
（第１の実施の形態）
図１は、本発明の第１の実施の形態におけるＰＰＭ同期回路の構成を示す概略ブロック図である。本発明の第１の実施の形態におけるＰＰＭ同期回路２００は、図１に示すように、ｍ値ＰＰＭ変調信号ｍＰＰＭの振幅レベルを比較して２値データＢＤに変換するレベル比較器２０１と、２値データＢＤからパルススロット周期の再生クロックＣＲを生成するクロック再生部２０２と、再生クロックＣＲを基準に２値データＢＤを並列データＰＤ[ｍ−１：０]に変換するシフトレジスタ２０３と、並列データＰＤ[ｍ−１：０]のデータの有効性を判定して判定結果ＪＤを出力する判定部２０４１と、その判定結果ＪＤにより、再生クロックＣＲから受信クロックＲＣを生成する分周カウンタ２０４２とを備えている。そして、分周カウンタ２０４２はカウント値ＤＶ[ｎ−１：０]を出力できるように構成されている。
【００２０】
次に、第１の実施の形態におけるＰＰＭ同期回路２００について、その動作を、図２および図３を用いて、４値ＰＰＭ変調方式の場合について説明する。図２（ａ）は、判定部２０４１の判定動作を示す真理値表、図２（ｂ）は、分周カウンタ２０４２のカウント動作を決定するための条件判断表、図３は、ＰＰＭ同期回路の動作を示すタイミングチャートである。図３に示すように、２ビットの送信データは、存在しうる４値（０，１，２，３）の状態により、送信データが“０”ならばパルススロット位置“０”に、送信データが“１”ならばパルススロット位置“１”にというような規則で４値ＰＰＭ変調信号４ＰＰＭが送信側で変調されているものとする。
【００２１】
ＰＰＭ同期回路２００のレベル比較器２０１では、４値ＰＰＭ変調信号４ＰＰＭを入力して、パルスの振幅レベルと閾値Ｖｔを比較しパルスが存在するか否かをコンパレータ２０１１により検出してパルス検出信号ＰＳを出力する。
【００２２】
ワンショット回路２０１２は、入力信号の立ち上がりを検出して一定幅のパルスを出力する回路であり、コンパレータ２０１１で検出されたパルス検出信号ＰＳにより、パルスが存在する場合はパルススロット周期Ｔｐの幅にわたり“Ｈ”として、パルスが存在しない場合は“Ｌ”として２値データＢＤに変換する。
【００２３】
クロック再生部２０２は、２値データＢＤが入力されるとパルススロット周期Ｔｐの再生クロックＣＲを生成する。クロック再生部２０２は、一般的に位相比較器、ループフィルタ、ＶＣＯなどによって構成されるＰＬＬ回路等により実現することができる。
【００２４】
２値データＢＤは、シフトレジスタ２０３によって再生クロックＣＲを基準にシフトされ、４本の並列データＰＤ[３：０]に変換される。
【００２５】
同期制御部２０４の判定部２０４１では、並列データＰＤ[３：０]が入力されデータの有効性が判定される。判定動作は、図２（ａ）に示す真理値表に従って判定され判定結果ＪＤ（Ｈ＝有効、Ｌ＝無効）として出力される。すなわち、１つのシンボル周期内には１つのパルスだけが存在するというＰＰＭ変調方式の特徴を利用して、パルススロット周期Ｔｐ毎に並列データＰＤ[３：０]を監視して、その中に１つだけ“Ｈ”が存在した場合だけ有効と判断し、それ以外は無効と判断するようになされている。
【００２６】
分周カウンタ２０４２は、判定結果ＪＤをもとに４値（０，１，２，３）の状態を表現できるカウント値ＤＶ[１：０]を生成するカウンタである。分周カウンタ２０４２のカウント動作は、図２（ｂ）に示す条件判断表に従って動作する。分周カウンタ２０４２のカウント値ＤＶ[１：０ ]を更新する条件は４つ（Ａ，Ｂ，Ｃ，Ｄ）存在し、条件Ａの状態の優先順位が最も高い。条件判断は再生クロックＣＲの立ち上がり位置でエッジ毎に判断され、カウント値ＤＶ[１：０]と判定結果ＪＤの状態から、条件Ａから条件Ｄの状態判断によりカウント値ＤＶ[１：０]を更新させる。この更新動作により再生クロックＣＲを４分周したシンボル周期Ｔｒの受信クロックＲＣ（＝カウント値ＤＶ[１]）を生成することができる。また、このときの受信クロックＲＣのシンボル周期位相は、送信データのシンボル周期位相に対し、再生クロックＣＲの１クロック分の遅延差で常時生成される。
【００２７】
このように、第１の実施の形態におけるＰＰＭ同期回路によれば、並列データＰＤ[３：０]をもとにパルススロット周期Ｔｐ毎にデータの有効性を判定し、有効と判断された時間軸上の位置を基準に再生クロックＣＲを４分周することにより、受信クロックＲＣを生成することができる。また、生成された受信クロックＲＣは、復調すべき受信データの正規のシンボル周期に同期しているため、シンボル同期パターン等を用いることなく、伝送すべきユーザのデータ系列だけでシンボル同期を自動的に獲得して同期確立することができる。
【００２８】
なお、第１の実施の形態では、レベル比較器２０１のコンパレータ２０１１において、入力されるパルスの振幅レベルが閾値Ｖｔを基準にパルスの有無判定を行うようにしているが、ヒステリシス特性を有したコンパレータを用いても良く、このようにすれば、伝送すべき規定のパルス幅よりも短いノイズなどの信号を除去することができる。また、図２および図３は、４値ＰＰＭ変調方式の場合の動作例を示したが、複数のｍ値ＰＰＭ変調方式においても基本動作は同じである。
【００２９】
（第２の実施の形態）
図４は、本発明の第２の実施の形態におけるＰＰＭ同期回路の構成を示す概略ブロック図である。第２の実施の形態におけるＰＰＭ同期回路２００の基本構成は、第１の実施の形態のそれと同一であり、以下の説明では、図１を参照して説明した部分と対応する部分には同一符号を付して示す。したがって、これらのものについてはその詳細な説明を省略し異なる点のみを説明する。第２の実施の形態と第１の実施の形態との相違点は、送信すべきパルス信号が搬送波信号によってパルス位置変調されたｍ値ＰＰＭ変調信号ｍＰＰＭを入力し、その変調信号の包絡線を検出する検波器２０５を備えたところにある。
【００３０】
以下、第２の実施の形態の動作について、図５を用いて説明する。図５は、検波器２０５における包絡線検波の動作を示すタイミングチャートである。図５に示すように、４値ＰＰＭ変調信号４ＰＰＭは送信側で伝送すべきパルスに単一の正弦波信号である搬送波信号が重畳されている変調信号である。
【００３１】
検波器２０５は、この変調信号の包絡線（変調信号の極大点を滑らかにつないだ線）を検波するものであり、先ず、４値ＰＰＭ変調信号４ＰＰＭをダイオードにより整流して負の部分を切り取る。その後抵抗とコンデンサで構成されたローパスフィルタで波形を滑らかにつないで検波信号ＤＳを得る。なお、この検波信号ＤＳ以降の信号の処理や動作については、第１の実施の形態のそれと同じため詳しい説明は省略する。
【００３２】
このように、第２の実施の形態におけるＰＰＭ同期回路によれば、検波器２０５を備えることにより、複雑な回路を用いることなく簡易な構成だけで、搬送波信号によってパルス位置変調されたＰＰＭ変調信号の復調にも対応することができる。
【００３３】
なお、図５は、４値ＰＰＭ変調方式の場合の動作例を示したが、複数のｍ値ＰＰＭ変調方式においても動作は同じである。
【００３４】
（第３の実施の形態）
図６は、本発明の第３の実施の形態におけるＰＰＭ同期回路の構成を示す概略ブロック図である。第３の実施の形態におけるＰＰＭ同期回路２００の基本構成は、第１の実施の形態のそれと同一であり、以下の説明では、図１を参照して説明した部分と対応する部分には同一符号を付して示す。したがって、これらのものについてはその詳細な説明を省略し異なる点のみを説明する。第３の実施の形態と第１の実施の形態との相違点は、同期制御部２０４の判定部２０４１と分周カウンタ２０４２から出力される各々の判定結果ＪＤとカウント値ＤＶ[ｎ−１：０]を入力し、そのカウント値の状態を監視してシンボル周期の同期状態を判定する同期状態判定部２０６を備えたところにある。そして、同期状態判定部２０６から出力されるクリア信号ＣＬは、シフトレジスタ２０３に入力されるように構成されている。
【００３５】
以下、第３の実施の形態の動作について、図７〜図９を用いて、４値ＰＰＭ変調方式の場合について説明する。図７は同期状態判定部２０６の詳細な回路図、図８は同期状態判定部２０６のカウンタ２０６１のカウント動作を決定させるための条件判断表、図９は同期状態判定部２０６を含むＰＰＭ同期回路の動作を示すタイミングチャートである。
【００３６】
通常、伝搬路の回線状態によってはノイズ等による妨害信号を受信してしまう場合があり、このような妨害信号は図９の点線で示すように妨害パルスＶＰとして受信される。このような場合、妨害パルスＶＰは、レベル比較器２０１によって斜線で示した信号が２値データＢＤとして検出され、さらに並列データＰＤ[３：０]に伝達される。
【００３７】
同期制御部２０４では、並列データＰＤ[３：０]により第１の実施の形態に示したような動作にしたがって判定結果ＪＤとカウント値ＤＶ[１：０]が生成されるが、このとき、妨害パルスＶＰを受信したことにより、カウント値ＤＶ[１：０]の値が“１”である状態が２クロック（図９の斜線部の信号）区間継続される結果となる。
【００３８】
同期状態判定部２０６では、このカウント値ＤＶ[１：０]の“１”の状態が２クロック以上続いた状態を検出するものである。カウンタ２０６１は、８値（０〜７）の状態を表現できるＣＮＴ[２：０]を生成するカウンタである。カウンタ２０６１のカウント動作は、図８に示す条件判断表に従って動作する。カウンタ２０６１のＣＮＴ[２：０]を更新する条件は５つ（Ａ，Ｂ，Ｃ，Ｄ，Ｅ）存在し、条件Ａの状態の優先順位が最も高い。条件判断は再生クロックＣＲの立ち上がり位置でエッジ毎に判断され、カウント値ＤＶ[１：０]と後述する同期状態信号ＳＳおよびカウンタ２０６１自身のＣＮＴ[２：０]の状態から、条件Ａから条件Ｅの状態判断によりＣＮＴ[２：０]を更新させる。
【００３９】
さらに、ＣＮＴ[２：０ ]はデコーダ２０６２により、入力値が“２”と“６”のときに有効となる信号をＳＲフリップフロップ２０６５で検出することによりクリア信号ＣＬを得る。すなわち、クリア信号ＣＬはＣＮＴ[２：０]＝“２”のときにセット（“Ｈ”）、ＣＮＴ[２：０]＝“６”のときにクリア（“Ｌ”）され、再生クロックＣＲで４クロック分が“Ｈ”になる信号となる。そして、このクリア信号ＣＬはシフトレジスタ２０３に入力されているので、並列データＰＤ[３：０]の値は全て“Ｌ”（図９の網掛けされた信号）にクリアされる。
【００４０】
また、デコーダ２０６２で検出した入力値“２”と、カウント値ＤＶ[１：０]をデコーダ２０６３で検出した入力値“１”と判定結果ＪＤをＡＮＤゲート２０６４で論理積した信号をＳＲフリップフロップ２０６６で検出することにより同期状態信号ＳＳを得る。すなわち、同期状態信号ＳＳはＣＮＴ[２：０]＝“２”のときにセット（“Ｈ”）、判定結果ＪＤ＝“Ｈ”でかつカウント値ＤＶ[１：０]＝“１”のときにクリア（“Ｌ”）され、再生クロックＣＲで６クロック分が“Ｈ”になる信号となる。したがって、同期状態信号ＳＳは妨害パルスＶＰの受信による同期はずれ状態を検出する。なお、同期状態信号ＳＳは、“Ｈ”で同期はずれ、“Ｌ”で同期状態を表す信号である。
【００４１】
このように、第３の実施の形態におけるＰＰＭ同期回路によれば、同期状態判定部２０６を備えることにより、ノイズ等による妨害信号を受信してしまった場合に生じる同期はずれ状態をリアルタイムに検出することができるので、受信信号のシンボル同期状態を監視することができる。また、同期はずれ状態を検出して並列データＰＤ[３：０]をクリアすることによって、シンボル同期の再同期確立処理を同期制御部２０４で行うことができるので、信頼性の高いシンボル同期を確立することができ、受信データの品質を向上させることができる。
【００４２】
なお、図７に示す同期状態判定部２０６の回路では、カウント値ＤＶ[１：０]＝“１”でかつ２クロック以上の場合に同期はずれとみなしていたが、システムの状況に応じて、カウント値ＤＶ[ｎ−１：０]が適当な値でかつ適当なクロック数以上の場合に同期はずれとみなすようにしてもよい。この場合は、適当な値のカウント値ＤＶ[ｎ−１：０]を検出するカウンタ２０６１と、適当な値で有効とするデコーダ２０６２により、適当なクロック数以上で同期はずれを検出できる回路で構成するれば対処できる。なお、図７〜図９は、４値ＰＰＭ変調方式の場合の動作例を示したが、複数のｍ値ＰＰＭ変調方式においても基本的に動作は同じである。
【００４３】
（第４の実施の形態）
図１０は、本発明の第４の実施の形態におけるＰＰＭ復調装置の構成を示す概略ブロック図である。本発明の第４の実施の形態におけるＰＰＭ復調装置は、図１０に示すように、ＰＰＭ復調装置３００において使用されるＰＰＭ同期回路２００は、第１から第３の実施の形態において説明したＰＰＭ同期回路のうちの１つである。ＰＰＭ同期回路２００から出力される並列データＰＤ[ｍ−１：０]を入力して、符号化データＥＤ[ｎ−１：０]に変換する符号化部３０１と、その符号化データＥＤ[ｎ−１：０]をＰＰＭ同期回路２００から出力される受信クロックＲＣでサンプリングして受信データを再生する受信データ再生部３０２とを備えている。
【００４４】
以下、第４の実施の形態の動作について、図１１および図１２を用いて説明する。図１１（ａ）は符号化部３０１の動作を示す真理値表、図１１（ｂ）は受信データ再生部３０２の詳細な回路図、図１２は４値ＰＰＭ変調方式の場合のＰＰＭ復調装置の動作を示すタイミングチャートである。
【００４５】
ＰＰＭ同期回路２００から出力される並列データＰＤ[３：０]は、符号化部３０１によって、図１１（ａ）に示す真理値表に従って符号化データＥＤ[１：０]に変換される。符号化データＥＤ[１：０]は、図１１（ｂ）に示す受信データ再生部３０２の各Ｄフリップフロップ３０２１、３０２２により、受信クロックＲＣの立ち上がりエッジで符号化データＥＤ[１：０]の正規の受信データ（図１２の網掛けされているデータ部分）をサンプリングする。サンプリングされたデータは受信データＲＤ[１：０]として再生される。したがって、送信データと一致した受信データＲＤ[１：０]が復調されることがわかる。
【００４６】
このように、第４の実施の形態におけるＰＰＭ復調装置によれば、ＰＰＭ同期回路２００と、符号化部３０１と、受信データ再生部３０２とを備えることによって、正規のシンボル周期に同期した受信クロックＲＣを生成できるので、符号化部３０１のデータ変換と受信データ再生部３０２のサンプリングだけで、簡易な構成で簡単に受信データを復調することができる。
【００４７】
なお、図１０のＰＰＭ同期回路２００からは、第３の実施の形態で説明した同期状態信号ＳＳが出力されていないが、この同期状態信号ＳＳを出力するようにしても良く、このようにすれば、受信データを復調しながらシンボル周期の同期状態をリアルタイムで把握することができる。また、図１１（ａ）および図１２は、４値ＰＰＭ変調方式の場合の動作例を示したが、複数のｍ値ＰＰＭ変調方式においても基本的に動作は同じである。
【産業上の利用可能性】
【００４８】
本発明は、ユーザの伝送レートを向上させることができ、伝送すべきデータ系列中のシンボル同期パターン等を用いる必要がなく、ユーザのデータ系列だけでシンボル同期を自動的に獲得して高速に同期確立し、正規のシンボル周期に同期した受信クロックを生成して受信データを再生することができるといった効果を有し、無線通信や光通信分野などで用いられるパルス位置変調方式の受信装置等への適用が可能である。
【図面の簡単な説明】
【００４９】
【図１】本発明の第１の実施の形態に係るＰＰＭ同期回路の構成を示す概略ブロック図
【図２】本発明の第１の実施の形態に係るＰＰＭ同期回路の判定部における判定動作を示す真理値表および分周カウンタにおけるカウント動作を決定するための条件判断表を示す図
【図３】本発明の第１の実施の形態に係るＰＰＭ同期回路の動作を説明するタイミングチャート
【図４】本発明の第２の実施の形態に係るＰＰＭ同期回路の構成を示す概略ブロック図
【図５】本発明の第２の実施の形態に係るＰＰＭ同期回路の動作を説明するタイミングチャート
【図６】本発明の第３の実施の形態に係るＰＰＭ同期回路の構成を示す概略ブロック図
【図７】本発明の第３の実施の形態に係るＰＰＭ同期回路の同期状態判定部における具体的な構成を示す回路図
【図８】本発明の第３の実施の形態に係るＰＰＭ同期回路の同期状態判定部のカウンタにおけるカウント動作を決定するための条件判断表を示す図
【図９】本発明の第３の実施の形態に係るＰＰＭ同期回路の動作を説明するタイミングチャート
【図１０】本発明の第４の実施の形態に係るＰＰＭ復調装置の構成を示す概略ブロック図
【図１１】本発明の第４の実施の形態に係るＰＰＭ復調装置の符号化部における動作を示す真理値表および受信データ再生部における具体的な構成を示す回路図
【図１２】本発明の第４の実施の形態に係るＰＰＭ復調装置の動作を説明するタイミングチャート
【図１３】従来のＰＰＭ復調装置の構成を示す概略ブロック図
【符号の説明】
【００５０】
２００  ＰＰＭ同期回路
２０１  レベル比較器
２０１１  コンパレータ
２０１２  ワンショット回路
２０２  クロック再生部
２０３  シフトレジスタ
２０４  同期制御部
２０４１  判定部
２０４２  分周カウンタ
２０５  検波器
２０６  同期状態判定部
２０６１  カウンタ
２０６２、２０６３  デコーダ
２０６４  ＡＮＤゲート
２０６５、２０６６  ＳＲフリップフロップ
３００  ＰＰＭ復調装置
３０１  符号化部
３０２  受信データ再生部
３０２１、３０２２、３０２ｎ  Ｄフリップフロップ
【図１】
2006148333.tif 000003
【図２】
2006148333.tif 000004
【図３】
2006148333.tif 000005
【図４】
2006148333.tif 000006
【図５】
2006148333.tif 000007
【図６】
2006148333.tif 000008
【図７】
2006148333.tif 000009
【図８】
2006148333.tif 000010
【図９】
2006148333.tif 000011
【図１０】
2006148333.tif 000012
【図１１】
2006148333.tif 000013
【図１２】
2006148333.tif 000014
【図１３】
2006148333.tif 000015